(57)【特許請求の範囲】
【請求項１】
複数種類の図柄が外周面にそれぞれ表示された複数個のリールと、
前記複数個のリールを個々に回転可能な複数個のリールモータと、
前記複数個のリールモータの駆動を開始させるためのスタート信号を出力するためのスタートスイッチと、
前記複数個のリールモータのうち、対応する少なくとも１個の前記リールモータの駆動を停止させるためのストップ信号を個々に出力するための複数個のストップスイッチと、
前記複数個のリールモータ、前記スタートスイッチ、及び前記複数個のストップスイッチにそれぞれ接続され、遊技の制御を行うための遊技制御装置とを備え、
前記遊技制御装置には、
前記スタートスイッチから出力された前記スタート信号にもとづいて、入賞の抽選を行うための入賞抽選手段と、
前記入賞抽選手段により抽選され、成立したフラグを判定するためのフラグ判定手段と、
前記スタートスイッチから出力された前記スタート信号にもとづいて、前記複数個のリールモータの駆動を全て開始させ、且、前記フラグ判定手段による判定結果、及び前記複数のストップスイッチからそれぞれ出力された前記各ストップ信号にもとづいて、当該対応する少くとも１個の前記リールモータの停止制御を行うためのリール駆動制御手段とを備えるスロットマシンにおいて、
前記フラグ判定手段には、
フラグが成立した入賞に相当する図柄を判定するための図柄判定手段を含み、
前記スロットマシンには、
前記図柄判定手段により判定された図柄を表示するためのフラグ成立図柄表示装置を備え、該フラグ成立図柄表示装置は、複数種類の図柄が外周面に表示された補助リールと、前記補助リールを回転させる補助リールモータとを備え、
前記遊技制御装置には、
前記スタートスイッチから出力された前記スタート信号に基づき、前記スタート信号が前回の遊技から４．１秒以内に入力されたときに前記補助リールモータの駆動を開始させることにより、前記リール駆動制御手段によってリールモータの駆動を開始させる前に、前記図柄判定手段によって判定された図柄を前記フラグ成立図柄表示装置に表示させるためのフラグ成立図柄表示制御手段を備えていることを特徴とするスロットマシン。
【発明の詳細な説明】
【０００１】
【発明の属する技術分野】
この発明は、スロットマシンに関し、特にフラグ成立時に、該フラグに相当する入賞図柄を表示することができるようにしたものである。
【０００２】
【従来の技術】
遊技の入賞を遊技機内部の遊技制御手段により制御しているスロットマシンが知られている。該スロットマシンにおいては、遊技機内部において、入賞の抽選が行われており、抽選の結果入賞と判定されると、即ち、入賞フラグが成立すると、遊技者のストップスイッチ操作タイミングに応じて、成立した入賞フラグに相当する図柄配列を有効ライン上にできるだけ引き込むようなリール停止制御が行われる。
【０００３】
したがって、遊技者にとって、入賞フラグが成立したか否か、特に、大当たり入賞フラグが成立したか否かを知ることは非常に有用である。大当たり入賞としては、一般に、通常の遊技に比べて、非常に入賞が得やすくなる特別遊技、いわゆるビッグボーナスおよびレギュラーボーナスが付与されるビッグボーナス入賞とレギュラーボーナス入賞とがある。
【０００４】
従来、大当たり入賞に相当するフラグ、即ち、ビッグボーナス入賞またはレギュラーボーナス入賞のいずれかに相当するフラグが成立したとき、その旨報知する手段を具備したスロットマシンが知られていた。
【０００５】
【発明が解決しようとする課題】
しかし、上記した従来のスロットマシンでは、大当たり入賞に相当するフラグ即ちビッグボーナス入賞またはレギュラーボーナス入賞のいずれかのフラグが成立したということを知ることができるに過ぎず、ビッグボーナス入賞なのかレギュラーボーナス入賞なのかは特定できないという問題があった。また、大当たり入賞以外のフラグは報知されないので、大当たり入賞フラグが成立しておらずかつ、全てのリールが停止した結果はずれとなった場合に、入賞フラグが成立していないからはずれとなったのか、遊技者のストップスイッチの操作タイミングが稚拙なためにはずれとなったのかはわからなかった。
【０００６】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、補助リールを用いてフラグ成立時の図柄を表示することができるようにしたものである。
【０００７】
【０００８】
更に、この発明は、リールの回転前に、フラグ成立時の図柄を表示することができるようにしたものである。
したがって、遊技者が、フラグが成立した図柄を狙って、リールを停止することが可能となる。
【０００９】
【００１０】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１１】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１に記載の発明は、次の２つの点を特徴とする。
【００１２】
第１に、フラグ判定手段(82)には、例えば図１に示すように、図柄判定手段(83)を含む。
上記図柄判定手段(83)は、フラグが成立した入賞に相当する図柄(50)を判定するためのものである。
第２に、このスロットマシン(10)には、フラグ成立図柄表示装置(70)を備える。
このフラグ成立図柄表示装置(70)には、例えば図１、２示すように、補助リール(71)と、補助リールモータ(72)とを備える。
上記補助リール(71)は、例えば図２に示すように、複数種類の図柄(50)が外周面に表示されている。
前記補助リールモータ(72)は、補助リール(71)を回転させるものである。
【００１３】
上記フラグ成立図柄表示装置(70)は、図柄判定手段(83)により判定された図柄(50)を表示するためのものである。
【００１４】
【００１５】
【００１６】
更に、この遊技制御装置(80)には、例えば図１に示すように、フラグ成立図柄表示制御手段(85)を備える。
上記フラグ成立図柄表示制御手段(85)は、スタートスイッチ(90)から出力されたスタート信号にもとづいて、主リール（40〜42）を駆動する前に、図柄判定手段(83)により判定された図柄(50)を、フラグ成立図柄表示装置(70)に表示するためのものである。
【００１７】
本発明の作用は、例えば図６に示すフローチャートに示した実施の形態に対応する。
【００１８】
【００１９】
【発明の実施の形態】
（図面の説明）
図１〜２は、本発明の実施の形態の一例を示すものである。
図１は、スロットマシンのブロック図、図２はスロットマシンの一部概略正面図である。尚、図３はスロットマシンの動作を説明するためのフローチャートを示すものである。
（スロットマシン10）
図中、10は、スロットマシンを示すものである。
【００２０】
上記スロットマシン10の正面には、図２に示すように、主リール表示窓20〜22と、この主リール表示窓20〜22に隣接させて補助リール表示窓30とを配置している。
上記主リール表示窓20〜22は、複数個、本実施の形態では、図２に示すように、横並びに３個設けられている。そして、各主リール表示窓20〜22には、主リール40〜42がそれぞれ臨んでいる。
【００２１】
なお、主リール表示窓20〜22の数は、３個に限らず、１個とし、複数個の主リール40〜42を臨ませても良いし、或いは、４個以上とし、各リール表示窓に同数の主リールを臨ませても良い。
上記各主リール40〜42は、図示しないが、円筒形を成し、その外周には、図１に示すように、複数種類の図柄50が表示されている。
【００２２】
なお、主リール表示窓20〜22には、各主リール40〜42の図柄50が３個見えるようにしているが、４個以上の図柄50が見えるようにしても良い。
そして、各主リール40〜42は、図１に示す主リールモータ60〜62により個別に駆動されて回転する。
上記各主リールモータ60〜62には、図示しないが、例えばステッピングモータを使用している。
【００２３】
なお、主リールモータ60〜62を、主リール40〜42と同数としたが、これに限らず、１個の主リールモータで複数個の主リールを駆動しても良い。
（フラグ成立図柄表示装置70）
前記補助リール表示窓30には、図２に示すように、フラグ成立図柄表示装置70が配置されている。
【００２４】
上記フラグ成立図柄表示装置70は、フラグが成立しているであろう図柄50を表示するためのものである。
具体的には、フラグ成立図柄表示装置70は、図１、２に示すように、補助リール表示窓30に臨む補助リール71と、この補助リール71を駆動して回転させるための補助リールモータ72とを備える。
【００２５】
上記補助リール71は、図示しないが、円筒形を成し、その外周には、図１に示すように、各主リール40〜42と同様に、複数種類の図柄50が表示されている。
そして、補助リール表示窓30には、図１に示すように、補助リール71の図柄50が縦方向に３個見れるようにし、中央に見える図柄50が、フラグが成立しているであろう図柄50である。
【００２６】
なお、補助リール表示窓30には、各補助リール71の図柄50が３個見えるようにしているが、１個、２個、或いは４個以上の図柄50が見えるようにしても良い。
前記補助リールモータ72には、図示しないが、主リールモータ60〜62と同様に、例えばステッピングモータを使用している。
なお、フラグ成立図柄表示装置70は、他の報知手段と組み合わせて使用しても良い。前記他の報知手段としては、例えばランプやスピーカより構成する。そして、例えばフラグが成立した場合にのみ、ランプを点灯・点滅したり、音を発生させても良い。
（図４の説明）
なお、図４〜６は、フラグ成立図柄表示装置70の他の実施の形態を示すものである。
【００２７】
図４は、本発明の実施の形態の１つを示し、同図はスロットマシンの一部概略正面図を示すものである。
本実施の形態の特徴は、図４に示すように、補助リール表示窓30を、主リール表示窓20〜22の上方に配置している点にある。
上記補助リール表示窓30は、図４に示すように、横長に配置し、補助リール71が横方向に回転するようにしている。
（図５の説明）
図５は、本発明の実施の形態の１つを示し、同図はスロットマシンの一部概略正面図を示すものである。
【００２８】
本実施の形態の特徴は、図５に示すように、補助リール表示窓30を縦長とし、補助リール71が横方向に回転するようにしている点にある。
【００２９】
（遊技制御装置80）
一方、スロットマシン10は、図１に示すように、遊技制御装置80を内蔵している。
【００３０】
上記遊技制御装置80は、図示しないが、ＣＰＵを中心に構成され、ＲＯＭ、ＲＡＭ、Ｉ／Ｏ等を備えている、そして、ＲＯＭに記憶されたプログラムを読み込むことで、後述する各種の手段81〜85として機能する。
（入力段）
前記遊技制御装置80の入力段には、図１に示すように、次の各種のスイッチ90、100〜102が接続されている。
【００３１】
（１）スタートスイッチ90
上記スタートスイッチ90は、図示しないが、スタート信号を出力するものである。
具体的には、メダルの投入後、スタートスイッチ90を操作すると、スタート信号を出力し、３個の主リール40〜42の回転が一斉に開始する。
【００３２】
なお、上記メダルの投入は、実際に遊技メダルを投入する他、スロットマシン10内にクレジットされたクレジットメダルを投入したり、或いはメダルに代えて、カード類の情報を磁気的、或いは光学的に読み取って遊技の開始条件としても良い。
（２）ストップスイッチ100〜102
上記ストップスイッチ100〜102は、図示しないが、３個の主リール40〜42に各々対応して３個のストップスイッチ100〜102から構成されている。そして、第１〜３の各ストップスイッチ100〜102をそれぞれ操作すると、ストップ信号をそれぞれ出力する。
【００３３】
具体的には、３個のストップスイッチ100〜102のうち、１個のストップスイッチを操作するとストップ信号が出力され、当該対応する１個の主リール40〜42の回転が停止する。そして、３個の全てのストップスイッチ100〜102を操作すると、３個の全主リール40〜42の回転が全て停止する。
（出力段）
前記遊技制御装置80の出力段には、図１に示すように、先に説明した次のパーツ60〜62、70が接続されている。
【００３４】
（１）主リールモータ60〜62
（２）フラグ成立図柄表示装置70
（各種手段81〜85）
遊技制御装置80は、図１に示すように、大別すると、次の各種の手段81〜85を含んでいる。
【００３５】
（１）入賞抽選手段81
入賞抽選手段81には、スタートスイッチ90から出力されたスタート信号にもとづいて、入賞の抽選を行うためのものである。
（２）フラグ判定手段82
フラグ判定手段82は、上記入賞抽選手段81により抽選され、成立したフラグの成否を判定するためのものである。
【００３６】
上記フラグ判定手段82には、図柄判定手段83を含む。
上記図柄判定手段83は、フラグが成立した図柄50を判定するためのものである。
（３）主リール駆動制御手段84
主リール駆動制御手段84は、スタートスイッチ90から出力されたスタート信号にもとづいて、３個の主リールモータ60〜62の駆動を全て開始させる。
【００３７】
その後、主リール駆動制御手段84は、フラグ判定手段82による判定結果、及び３個のストップスイッチ100〜102からそれぞれ出力された各ストップ信号にもとづいて、当該対応する少くとも１個の主リールモータ60〜62の停止制御を行うためのものである。
すなわち、フラグが成立した場合には、当該フラグが成立した図柄50を可能な限り有効ラインに引き込み停止制御しようとする。
【００３８】
また、主リール駆動制御手段84は、３個の主リールモータ60〜62の駆動が全て停止したことを条件に、フラグ成立図柄表示信号を出力する。
（４）フラグ成立図柄表示制御手段85
フラグ成立図柄表示制御手段85は、主リール駆動制御手段84から出力されたフラグ成立図柄表示信号にもとづいて、図柄判定手段83により判定された図柄50を、フラグ成立図柄表示装置70に表示するためのものである。
【００３９】
なお、フラグ成立図柄表示制御手段85は、フラグ判定手段82によりフラグの不成立、すなわち外れが判定された場合にも、予め設定された図柄50や、或いはランダムな図柄50を、フラグ成立図柄表示装置70に表示しても良い。
この場合、フラグ成立図柄表示装置70に表示された図柄50について、フラグが成立しているとは限らない。
【００４０】
また、はずれの図柄を予め準備しておいても良い。
具体的には、フラグ成立図柄表示制御手段85は、スタートスイッチ90から出力されたスタート信号にもとづいて、補助リールモータ72の駆動を開始させる。
その後、フラグ成立図柄表示制御手段85は、主リール駆動制御手段84から出力されたフラグ成立図柄表示信号にもとづいて、補助リールモータ72の駆動を停止させ、図柄判定手段83により判定された図柄50を、補助リール71の例えば中央に停止表示させる。
（図３の説明）
つぎに、一般的遊技方法について、図３に示すフローチャートを用いて説明する。
【００４１】
まず、図３に示すように、ステップＳ１０に進み、遊技者が、例えば１〜３枚の遊技メダルを投入する。
遊技メダルの投入後、図３に示すように、次のステップＳ１１に進み、遊技者が、図１に示すスタートスイッチ90を操作する。
このとき、スタートスイッチ90からスタート信号が出力される。
【００４２】
スタートスイッチ90を操作すると、図３に示すように、次のステップＳ１２に進み、３個全ての主リール40〜42及び補助リール71の回転が開始する。
上記処理は、図１に示す主リール駆動制御手段84及びフラグ成立図柄表示制御手段85により制御されている。
つぎに、図３に示すように、ステップＳ１３に進み、遊技者が、図１に示す３個全てのストップスイッチ100〜102を操作する。
【００４３】
３個全てのストップスイッチ100〜102を操作すると、図３に示すように、次のステップＳ１４に進み、３個全ての主リール40〜42の回転が停止する。
上記処理は、図１に示す主リール駆動制御手段84により制御されている。
３個全ての主リール40〜42の停止後、図３に示すように、次のステップＳ１５に進み、補助リール71の回転が停止する。
【００４４】
上記処理は、図１に示すフラグ成立図柄表示制御手段85により制御されている。
その結果、遊技者は、フラグが成立したであろう図柄50の種別を知ることができる。
そして、図柄50の種別が、フラグが次回の遊技に持ち越される、例えばいわゆるビッグボーナス図柄の場合には、次回の遊技において、ビッグボーナス図柄を狙ってストップスイッチ100〜102を操作する楽しみがある。
（図６の説明）
つぎに、図６以降を用いて、本発明に係る遊技方法について説明する。
【００４５】
図６は、本発明の実施の形態の１つを示し、同図はスロットマシンの動作を説明するためのフローチャートを示すものである。
本実施の形態の特徴は、図６に示すように、主リール40〜42の回転前に、フラグ成立時の図柄50を表示することができるようにした点にある。
すなわち、図１に示すフラグ成立図柄表示制御手段85は、スタートスイッチ90から出力されたスタート信号にもとづいて、図柄判定手段83により判定された図柄50を、フラグ成立図柄表示装置70に表示するためのものである。
【００４６】
具体的には、フラグ成立図柄表示制御手段85は、スタートスイッチ90から出力されたスタート信号にもとづいて、補助リールモータ72の駆動を開始させる。
このとき、フラグ成立図柄表示制御手段85は、スタートスイッチ90から出力されたスタート信号を、前回の遊技から所定時間、例えば４．１秒以内に入力したことを条件に、補助リールモータ72の駆動を開始させる。
【００４７】
つぎに、上記フラグ成立図柄表示制御手段85は、所定時間経過後、補助リールモータ72の駆動を停止させ、図柄判定手段83により判定された図柄50を、補助リール71に停止表示させる。
上記所定時間としては、例えば前回の遊技から２秒後に、スタートスイッチ90が操作された場合には、残る２．１秒以内に、補助リールモータ72の駆動を停止する。
【００４８】
前記フラグ成立図柄表示制御手段85は、その後、例えば４．１秒経過後、主リール駆動制御手段84にリール駆動開始信号を出力するとともに、補助リールモータ72の駆動を再開させる。
前記フラグ成立図柄表示制御手段85は、主リール駆動制御手段84から出力された補助リール停止信号にもとづいて、補助リールモータ72の駆動を停止させる。
【００４９】
一方、図１に示す主リール駆動制御手段84は、スタートスイッチ90から出力されたスタート信号の入力後、フラグ成立図柄表示制御手段85からのリール駆動開始信号の入力を条件に、３個の主リールモータ60〜62の駆動を全て開始させる。
つぎに、本実施の形態の遊技方法について、図６に示すフローチャートを用いて説明する。
【００５０】
まず、図６に示すように、ステップＳ２０に進み、遊技者が、例えば１〜３枚の遊技メダルを投入する。
遊技メダルの投入後、図６に示すように、次のステップＳ２１に進み、遊技者が、図１に示すスタートスイッチ90を操作する。
このとき、スタートスイッチ90からスタート信号が出力される。
【００５１】
スタートスイッチ90を操作すると、図６に示すように、次のステップＳ２２に進み、前回の遊技から４．１秒以内か否かの判定が行われる。
上記判定は、図１に示すフラグ成立図柄表示制御手段85により行われる。
その結果、４．１秒以内の場合には、図６に示すように、次のステップＳ２３に進み、補助リール71の回転が開始する。
【００５２】
上記処理は、図１に示すフラグ成立図柄表示制御手段85により制御されている。
その後、図６に示すように、次のステップＳ２３に進み、補助リール71の回転が停止する。
上記処理は、図１に示すフラグ成立図柄表示制御手段85により制御されている。
【００５３】
その結果、遊技者は、フラグが成立したであろう図柄50の種別を知ることができる。
その後、図６に示すように、次のステップＳ２５に進み、３個全ての主リール40〜42及び補助リール71の回転が開始する。
上記処理は、図１に示す主リール駆動制御手段84及びフラグ成立図柄表示制御手段85により制御されている。
【００５４】
つぎに、図６に示すように、ステップＳ２６に進み、遊技者が、図１に示す３個全てのストップスイッチ100〜102を操作する。
このとき、遊技者は、フラグが成立したであろう図柄50を狙って、ストップスイッチ100〜102を操作することが可能である。
３個全てのストップスイッチ100〜102を操作すると、図６に示すように、次のステップＳ２７に進み、３個全ての主リール40〜42の回転が停止する。
【００５５】
上記処理は、図１に示す主リール駆動制御手段84により制御されている。
３個全ての主リール40〜42の停止後、図６に示すように、次のステップＳ２８に進み、補助リール71の回転が停止する。
上記処理は、図１に示すフラグ成立図柄表示制御手段85により制御されている。
【００５６】
一方、先のステップＳ２２において、４．１秒を越えていると判定されていた場合には、図６に示すように、先に説明したステップＳ２５に進み、３個全ての主リール40〜42及び補助リール71の回転が開始する。
（図７の説明）
図７は、本発明の実施の形態の１つを示し、同図はスロットマシンの動作を説明するためのフローチャートを示すものである。
【００５７】
本実施の形態の特徴は、図７に示すように、フラグ成立時に補助リール71を逆転させることで、フラグの成否を遊技者に表示することができるようにした点にある。
すなわち、図１に示すフラグ成立図柄表示制御手段85は、フラグ判定手段82によりフラグの成立が判定された場合には、補助リールモータ72の逆転させるようにしている。
【００５８】
つぎに、本実施の形態の遊技方法について、図７に示すフローチャートを用いて説明する。
まず、図７に示すように、ステップＳ３０に進み、遊技者が、例えば１〜３枚の遊技メダルを投入する。
遊技メダルの投入後、図７に示すように、次のステップＳ３１に進み、遊技者が、スタートスイッチ90を操作する。
【００５９】
このとき、スタートスイッチ90からスタート信号が出力される。
スタートスイッチ90を操作すると、図７に示すように、次のステップＳ３２に進み、前回の遊技から４．１秒以内か否かの判定が行われる。
上記判定は、図１に示すフラグ成立図柄表示制御手段85により行われる。
その結果、４．１秒以内の場合には、次のステップＳ３３に進み、フラグが成立した否かの判定が行われる。
【００６０】
上記判定は、図１に示すフラグ判定手段82により行われる。
その結果、フラグが成立している場合には、次のステップＳ３４に進み、補助リール71の逆転を開始させる。
上記処理は、図１に示すフラグ成立図柄表示制御手段85により制御されている。
【００６１】
遊技者は、補助リール71が逆転を開始することで、フラグ成立していることがわかる。
その後、次のステップＳ３５に進み、補助リール71の回転が停止する。
上記処理は、図１に示すフラグ成立図柄表示制御手段85により制御されている。
【００６２】
その結果、遊技者は、フラグが成立した図柄50の種別を知ることができる。
その後、次のステップＳ３６に進み、３個全ての主リール40〜42及び補助リール71の回転を開始する。
上記処理は、図１に示す主リール駆動制御手段84及びフラグ成立図柄表示制御手段85により制御されている。
【００６３】
つぎに、ステップＳ３７に進み、遊技者が、３個全てのストップスイッチ100〜102を操作する。
このとき、遊技者は、フラグが成立した図柄50を狙って、ストップスイッチ100〜102を操作することが可能である。
３個全てのストップスイッチ100〜102を操作すると、次のステップＳ３８に進み、３個全ての主リール40〜42の回転が停止する。
【００６４】
上記処理は、図１に示す主リール駆動制御手段84により制御されている。
３個全ての主リール40〜42の停止後、次のステップＳ３９に進み、補助リール71の回転が停止する。
上記処理は、図１に示すフラグ成立図柄表示制御手段85により制御されている。
【００６５】
一方、先のステップＳ３２において、４．１秒を越えていると判定されていた場合には、先に説明したステップＳ３６に進み、３個全ての主リール40〜42及び補助リール71の回転を開始する。
また、先の先のステップＳ３３において、フラグが成立していない場合には、次のステップＳ４０に進み、補助リール71の正転を開始させる。
【００６６】
上記処理は、図１に示すフラグ成立図柄表示制御手段85により制御されている。
遊技者は、補助リール71が正転を開始することで、フラグ成立していないことがわかる。
【００６７】
【発明の効果】
本発明は、以上のように構成されているので、以下に記載されるような効果を奏する。
（請求項１）
請求項１記載の発明によれば、次のような効果を奏する。
【００６８】
すなわち、請求項１記載の発明によれば、補助リールを使用して、フラグ成立時の図柄を表示することができる。
【００６９】
【００７０】
更に、請求項１に記載の発明によれば、リールの回転前に、フラグ成立時の図柄を表示することができる。
したがって、遊技者が、フラグが成立した図柄を狙って、リールを停止することが可能となる。
【００７１】
【図面の簡単な説明】
【図１】  スロットマシンのブロック図である。
【図２】  スロットマシンの一部概略正面図である。
【図３】  スロットマシンの動作を説明するためのフローチャートである。
【図４】  本発明の第２の実施の形態を示し、同図はスロットマシンの一部概略正面図である。
【図５】  本発明の第３の実施の形態を示し、同図はスロットマシンの一部概略正面図である。
【図６】  本発明の第４の実施の形態を示し、同図はスロットマシンの動作を説明するためのフローチャートである。
【図７】  本発明の第５の実施の形態を示し、同図はスロットマシンの動作を説明するためのフローチャートである。
【符号の説明】
10  スロットマシン                20〜22  主リール表示窓
30  補助リール表示窓              40〜42  主リール
50  図柄                          60〜62  主リールモータ
70  フラグ成立図柄表示装置        71  補助リール
72  補助リールモータ              80  遊技制御装置
81  入賞抽選手段                  82  フラグ判定手段
83  図柄判定手段                  84  主リール駆動制御手段
85  フラグ成立図柄表示制御手段    90  スタートスイッチ
100〜102 ストップスイッチ
【図１】
0003672745.tif 000002
【図２】
0003672745.tif 000003
【図３】
0003672745.tif 000004
【図４】
0003672745.tif 000005
【図５】
0003672745.tif 000006
【図６】
0003672745.tif 000007
【図７】
0003672745.tif 000008